(57)【要約】      （修正有）【課題】気分や季節等に応じて雰囲気を変えるられるお洒落な卓上インテリアを提供する。【解決手段】正六面体の各側面を有効利用すべく方向を変えるだけで、その時の気分や季節等に応じて雰囲気を変えることができる商品価値の高いお洒落なキューブ型の卓上インテリアボックスを提供すべく、それぞれに異なった企画品をディスプレイする正六面体のケース本体１，２，３等で該卓上インテリアを構成する。その他、灰皿、テープディスペンサー、メモスタンド、ペン立て、時計、フォトスタンド、ライトスタンド等の企画品をディスプレイするケース本体１，２，３…を自由に選択して組み合わせ、また、縦横に並べ替えて使用する。【選択図】図３
0003146040.tif 000002
【実用新案登録請求の範囲】
【請求項１】
それぞれに異なった企画品をディスプレイする少なくとも一以上のケース本体を組み合わせてなることを特徴とする卓上インテリアボックス。
【請求項２】
前記ケース本体は、同形同大の正六面体に形成されていることを特徴とする請求項１に記載の卓上インテリアボックス。
【請求項３】
前記企画品は、灰皿、テープディスペンサー、メモスタンド、ペン立て、時計、フォトスタンド、ライトスタンドの全て又はいずれかを選択又は組み合わせてなることを特徴とする請求項１に記載の卓上インテリアボックス。
【考案の詳細な説明】
【技術分野】
【０００１】
本考案は、主として卓上で使用されるインテリアボックスの改良に関し、更に詳しくは、組み合わせや並べ方或いは方向を変えるだけで、気分や季節等に応じて雰囲気を変えることができる趣向性及び商品価値の高いお洒落なキューブ型の卓上インテリアボックスに関する。
【背景技術】
【０００２】
従来、斯かる卓上インテリアボックスとしては、例えば、六面体の中空状の箱体と、その箱体の少なくとも一面に開設した窓部と、前記箱体内に、前記窓部を開設した面及びその面と対向する面以外の面の対角線上に配設して箱体内を２個の空間に仕切る前記窓部と対向する反射面を有する仕切板と、前記仕切板の略中央に保持され、前記窓部に対向して写真等のシート状物を保持するホルダーとを備えた卓上インテリアボックス(フォトスタンド)がある（特許文献１参照）。
【特許文献１】実開平０６−９９７５号公報
【考案の開示】
【考案が解決しようとする課題】
【０００３】
しかしながら、上述した従来の卓上インテリアボックスにあっては、写真等を保持させることができるといった利点を有するものの、フォトスタンドとしての用途しかないため、直ぐに飽きてしまうといった問題がある。
【０００４】
また、昨今のオフィスやインテリア内では、正六面体を活かすべく複数の企画品を並べ替えて気分や季節等に応じて雰囲気を変えることができるお洒落な卓上インテリアボックスが要望されている。
【０００５】
本考案はこのような従来の問題点及び要望に鑑みてなされたもので、組み合わせや並べ方或いは方向を変えるだけで、気分や季節等に応じて雰囲気を変えることができる趣向性及び商品価値の高いお洒落なキューブ型の卓上インテリアボックスを提供することを目的としたものである。
【課題を解決するための手段】
【０００６】
上述の如き従来の問題点を解決し、所期の目的を達成するため本考案の要旨とする構成は、それぞれに異なった企画品をディスプレイする少なくとも一以上のケース本体を組み合わせてなる卓上インテリアボックスに存する。
【０００７】
また、前記ケース本体は、同形同大の正六面体に形成されるのが好ましく、更に、前記企画品は、灰皿、テープディスペンサー、メモスタンド、ペン立て、時計、フォトスタンド、ライトスタンドの全て又はいずれかを選択又は組み合わせてなるのが良い。
【考案の効果】
【０００８】
本考案は上述のように構成され、それぞれに異なった企画品をディスプレイする少なくとも一以上のケース本体を組み合わせてなることによって、各ケース本体の並べ方や組み合わせを変えるだけで、使用頻度や気分等に応じたオリジナルの飾り付けを楽しむことができるといった効果を奏する。
【０００９】
また、前記ケース本体は、同形同大の正六面体に形成することによって、正六面体の各側面を有効利用すべく方向を変えるだけでも簡単に異なる雰囲気を醸し出すことができる商品価値の高いお洒落なキューブ型の卓上インテリアボックスを提供することができる。
【００１０】
更に、前記企画品は、灰皿、テープディスペンサー、メモスタンド、ペン立て、時計、フォトスタンド、ライトスタンドの全て又はいずれかを選択又は組み合わせてなることによって、ケース本体の組み合わせを変えるだけでなく並べ方や方向を変えるだけでも、気分や使用目的等に応じたディスプレイができるため、趣向性の高い卓上インテリアボックスを提供できるといった効果を奏する。
【００１１】
しかも、本考案の卓上インテリアボックスは、構成が単純であるため大量生産に適し、価格も低廉なものとして需要者に供給できる等、本考案を実施することはその実益的価値が甚だ大である。
【考案を実施するための最良の形態】
【００１２】
それぞれに異なった企画品をディスプレイする少なくとも一以上のケース本体を組み合わせる。ケース本体は、同形同大の正六面体に形成されると共に、前記企画品は、灰皿、テープディスペンサー、メモスタンド、ペン立て、時計、フォトスタンド、ライトスタンドの全て又はいずれかを選択又は組み合わせるのが良い。
【実施例】
【００１３】
次に、本考案の実施の一例を図面を参照しながら説明する。図中Ａは、本考案に係るキューブ型の卓上インテリアボックスであり、この卓上インテリアボックスＡは、図１に示すように、それぞれに異なった企画品をディスプレイする正六面体のケース本体１，２，３…を備えている。
【００１４】
ケース本体１は、灰皿(企画品)をディスプレイしており、蓋体(天板)１ａの上にタバコの灰を受けたり火種を揉み消すことができると共に、図４に示すように、同蓋体１ａの端縁１ｂを上げることにより、連結部１ｃを中心に同蓋体１ａが回動し、タバコの灰や吸い殻を耐熱性の内箱１Ｂ内に落とせるように工夫されている。
【００１５】
ケース本体２は、テープディスペンサー(企画品)をディスプレイしており、図５に示すように、内装ケース２ｃを介して次一対の粘着テープ２ａ，２ａを回転可能に装着されている。
【００１６】
内装ケース２ｃは、全体をして重量のある箱体からなり、図５(ｂ)に示すように、巻回テープ２ａの下半部を許容する大きさに形成された一対の取付凹部２ｃ１  ，２ｃ１  と、該取付凹部２ｃ１  ，２ｃ１  の開放端縁に凹設された回転駒受け２ｃ２  ，２ｃ２  を介して一対の回転駒２ｄ，２ｄが回転自在に遊嵌されている。
【００１７】
因に、回転駒受け２ｃ２  ，２ｃ２  は、後述する回転駒２ｄの回転軸２ｄ１  が安易に抜け落ちないように断面鈎状の盲穴に形成されている。換言すれば、回転駒受け２ｃ２  ，２ｃ２  は、回転軸２ｄ１  を嵌入する位置(入口)と同回転軸２ｄ１  を回転自在に支持する位置とが軸心状にならないように鈎状に凹設されている。
【００１８】
従って、鈎状盲穴の突き当たりに位置する回転軸２ｄ１  は、抜け止め状態にロックされており、強制的に嵌入位置（入口）下まで変位させない限り、安易にして浮き上がったり上方向に抜けることがない。
【００１９】
また、回転駒２ｄ，２ｄは、木材や硬質合成樹脂材等の適宜材料からドラム状に形成されおり、幅方向に延出した回転軸２ｄ１  ，２ｄ１  を介して前記内装ケース２ｃの回転駒受け２ｃ２  ，２ｃ２  に回動自在に遊嵌されている。因に、図中２Ａは、回転駒受け２ｃ２  ，２ｃ２  と協働して巻回テープ２ａ，２ａの意に反した浮き上がりを阻止するスライド天板である。
【００２０】
一方、ケース本体３は、メモスタンド(企画品)をディスプレイしており、上端が開口されたキューブ型の壁面に、積層されたメモ用紙３ａが捲り易いように、指入れ用のスリット３ｂが切り欠かれている。
【００２１】
ケース本体４は、ペン立て(企画品)をディスプレイしており、短寸、長寸の何れの小物にも対応できるようにスリット４ａ，４ａ…が縦横上下に切り欠かれている。
【００２２】
また、ケース本体５は、置き時計(企画品)をディスプレイしており、常套の置き時計と同様、アラーム等の機能を具備していることは云うまでもない。
【００２３】
他方、ケース本体６は、フォトスタンド(企画品)をディスプレイしており、図７に示すように、所定大きさの外装ケース６ａと、該外装ケース６ａ内に遊嵌される内装ケース６ｂと、両ケース６ａ，６ｂとの間に形成される写真、絵、模様、図柄等の紙葉を保持するためのディスプレイスペース（図示せず）とを備えている。
【００２４】
外装ケース６ａは、上下両端が開放された透明な正六面体に形成されており、内装ケース１の外周を被装すべく遊嵌される。また、同ケース６ａの上下開口縁にはテーパー面６ａ１  ，６ａ２  を介して後述する内装ケース６ｂ及び底部カバー６ｃが水密に整合される。
【００２５】
内装ケース６ｂは、上端のみが開放された正六面体に形成されており、上端開口縁から外方に突出したテーパー状のフランジ６ｂ１  ，６ｂ１  が周設されている。このフランジ６ｂ１  ，６ｂ１  は、外装ケース６ａの上端開口縁に形成されたテーパー面６ａ１  ，６ａ１  と面一に整合されるものであり、底面の四隅に磁石６ｂ２  ，６ｂ２  …が設けられている。
【００２６】
底部カバー６ｃは、前記外装ケース６ａのテーパー面６ａ２  ，６ａ２  と整合する段差部６ｃ１  ，６ｃ１  と、前記内装ケース６ｂの磁石６ａ１  ，６ａ１  …と整合する位置に設けられた磁石６ｃ２  ，６ｃ２  …と、同カバーの底面四隅に設けられた重合スタッド(図３参照)と、手の指を差し入れることができる大きさに形成された円孔６ｃ３  とを備えている。
【００２７】
因に、上述した外装ケース６ａのテーパー面６ａ２  と内装ケース６ｂのフランジ６ｂ１  及び底部カバー６ｃのテーパー段差部６ｃ１  とが共同して、両ケース６ａ，６ｂ間にディスプレイスペース(図示せず)が確保され、また、前記両磁石６ａ１  ，６ｃ２  の磁性力が協働することも相俟って、両ケース６ａ，６ｂ間を水密に重合することができるため、同スペース内に飾り付けた写真等の紙葉（図示せず）が安易に水で濡れたり、汚れたり或いは欠損等を阻止できるため、大事な写真でも安心して入れ置くことができることは云うまでもない。
【００２８】
また、底部カバー６ｃの円孔６ｃ３  から指を突き入れるだけで、前記両磁石６ａ１  ，６ｃ２  の磁力に抗して底部カバー６ｃと内装ケース６ｂとを簡単に遊離することができため、内装ケース６ｂがフリーとなって外装ケース６ａから簡単に取り外せる結果、写真、絵、模様等の紙葉を簡単に入れ替えできると共に、内装ケース６ｂの各側面(４面)の全てに写真等をディスプレイすることができる。
【００２９】
しかも、外観からは、恰も透明な外装ケース６ａ中に写真、絵、模様、図柄等の紙葉が埋め込まれているかの如く観取できるため、卓上インテリアボックスとして意外性があり、また、正六面体の各側面を有効利用すべく四枚の紙葉を飾り付けることができるのみならず、方向を変えるだけで異なる写真や絵を提供できるため、その時の気分や季節等に応じて雰囲気を変えることができる商品価値の高いお洒落なキューブ型の卓上インテリアボックスを提供することができる。
【００３０】
また、各ケース本体１，２，３…の底面には、四隅にスタッド１ｄ…が突設されているため(図３参照)、例えば、図１、図７若しくは図９に示すように、キューブ型の灰皿、テープディスペンサー、メモスタンド、ペン立て、時計、フォトスタンド、ライトスタンド等の商品企画をディスプレイするケース本体１，２，３，４，５，６などを自由に選択して組み合わせたり、また、縦横に並べ替えることができるなど、インテリアとしての更なる趣向性も付加させることができるのである。因に、図中６ｄは、内装ケース６ｂを四つに区画する仕切部材であり、内装ケース６ｂ内を小物入れやペン立て等として使用できる。
【００３１】
他方、ケース本体７は、図１０乃至図１１に示すように、大きさの異なる有底箱状の正六面体の大ケース７ａ内に、中ケース７ｂ、小ケース７ｃを収納してなるもので、それぞれ単独で使用しても良く、積み上げて使用しても良い。
【００３２】
尚、本考案の卓上インテリアボックスは、本実施例に限定されることなく、本考案の目的の範囲内で自由に設計変更し得るものであり、本考案はそれらの全てを包摂するものである。例えば、本実施例ではケース本体の形状として、正六面体(cube)を使用しているが、これに限定されることなく、平面が長方形、台形、三角形、円形等のボックスを使用できることは云うまでもない。
【図面の簡単な説明】
【００３３】
【図１】本考案に係る卓上インテリアボックスの第１実施例を示す斜視図である。
【図２】本考案に係る卓上インテリアボックスの第２実施例を示す斜視図である。
【図３】本実施例で使用する灰皿仕様のケース本体を示す底面図である。
【図４】図４(ａ)は本実施例で使用する灰皿仕様のケース本体の開蓋状態を示す説明図、図４(ｂ)は同要部縦断面図である。
【図５】図５(ａ)は本実施例で使用するテープディスペンサー仕様のケース本体を示す平面図、図５(ｂ)は要部縦断面図である。
【図６】本考案に係る卓上インテリアボックスの第３実施例を示す斜視図である。
【図７】本実施例で使用するフォトスタンド仕様のケース本体を示す組立分解斜視図である。
【図８】本考案に係る卓上インテリアボックスの第４実施例を示す斜視図である。
【図９】本考案に係る卓上インテリアボックスの第５実施例を示す斜視図である。
【図１０】本考案に係る卓上インテリアボックスの第６実施例を示す斜視図である。
【図１１】本実施例で使用する大、中、小のケースを積み上げた状態を示す説明図である。
【符号の説明】
【００３４】
１  ケース本体
１Ａ  目隠部材
１Ｂ  内箱
１ａ  蓋体
１ｂ  端縁
１ｃ  回転軸
１ｄ  スタッド
２  ケース本体
２Ａ  スライド天板
２ａ  粘着テープ
２ｂ  テープカッター
２ｃ  内装ケース
２ｃ１  取付凹部
２ｃ２  回転駒受け
２ｄ  回転駒
２ｄ１  回転軸
３  ケース本体
３ａ  メモ用紙
３ｂ  スリット
４  ケース本体
４ａ  スリット
５  ケース本体
６  ケース本体
６ａ  外装ケース
６ａ１  テーパー面
６ａ２  テーパー面
６ｂ  内装ケース
６ｂ１  フランジ
６ｂ２  磁石
６ｃ  底部カバー
６ｃ１  段差部
６ｃ２  磁石
６ｃ３  円孔
６ｄ  仕切部材
７  ケース本体
７ａ  大ケース
７ｂ  中ケース
７ｃ  小ケース
【図１】
0003146040.tif 000003
【図２】
0003146040.tif 000004
【図３】
0003146040.tif 000005
【図４】
0003146040.tif 000006
【図５】
0003146040.tif 000007
【図６】
0003146040.tif 000008
【図７】
0003146040.tif 000009
【図８】
0003146040.tif 000010
【図９】
0003146040.tif 000011
【図１０】
0003146040.tif 000012
【図１１】
0003146040.tif 000013